(57)【特許請求の範囲】
【請求項１】
遊技客によって投入される紙幣を受け入れる紙幣識別装置と、前記紙幣識別装置より送出される紙幣を搬送する紙幣搬送装置と、前記紙幣搬送装置の一端に設けられて搬送された紙幣を保管する金庫とを備え、遊技媒体の貸し出し要求に応じて、遊技機とともに遊技機島を形成する遊技媒体貸出機を通じて遊技媒体の貸し出しが行われるように構成された遊技媒体貸出装置において、
前記紙幣搬送装置の前記金庫の反対端には釣銭保管庫が付設され、釣銭として使用されない金種の紙幣については前記金庫に保管される一方、釣銭に適合する金種の紙幣については、前記金庫に留まることなく前記釣銭保管庫まで搬送されて収納されるように構成されていることを特徴とする遊技媒体貸出装置。
【請求項２】
前記紙幣識別装置には釣銭収納部が備えられて、釣銭の払い出しに応じることができるように構成されるとともに、前記釣銭収納部に収納されている釣銭用の紙幣の枚数が所定の枚数を下回ったときには、前記釣銭保管庫より釣銭用の紙幣が送出されて、前記紙幣搬送装置を介して前記釣銭収納部に補充されるように構成されていることを特徴とする請求項１に記載の遊技媒体貸出装置。
【請求項３】
前記紙幣搬送装置には、前記遊技機島に沿って延伸しかつ垂直方向に周回する紙幣搬送ベルトが装備され、該紙幣搬送ベルトによって紙幣は水平姿勢で搬送されるとともに、前記金庫に搬送される紙幣および前記釣銭保管庫より送出される補充用の紙幣の搬送は、前記紙幣搬送ベルトの下位部分の移動によってなされ、前記金庫より前記紙幣収納庫への紙幣の搬送は、前記紙幣搬送ベルトの上位部分の移動によってなされるように構成されていることを特徴とする請求項１または請求項２に記載の遊技媒体貸出装置。
【請求項４】
前記釣銭保管庫から前記紙幣識別装置の前記釣銭収納部に向けて補充用の紙幣が搬送されるときには、補充の要求を発している前記紙幣識別装置に前記紙幣の搬送が終了するまでの間は、該紙幣識別装置よりも上流に配設された前記紙幣識別装置について、新たに投入された紙幣の前記紙幣搬送装置への送出を一時的に停止するように構成されていることを特徴とする請求項１〜請求項３のいずれかに記載の遊技媒体貸出装置。
【発明の詳細な説明】
【技術分野】
【０００１】  本発明は、複数の遊技機および遊技媒体貸出機を配列して形成される遊技機島の上方組込みに好適する遊技媒体貸出装置に関し、特に高額紙幣が投入されたときに、釣銭用の紙幣を払い出すことができるようにした装置に関する。
【背景技術】
【０００２】  スロットマシンやパチンコ機に代表される遊技機において、遊技客がゲームを始めようとする際には、まず、遊技媒体としてのメダルやパチンコ玉の貸し出しを受けなければならない。そして、その貸し出しを受けるための手段として、硬貨または紙幣といった現金を遊技機に隣接して設置された遊技媒体貸出機に直接投入するという方法が、遊技客にとって最も手っ取り早い便利な方法といえる。とりわけ、高額紙幣を受付けて釣銭を払い出すことのできる機能を有する遊技媒体貸出装置は、遊技客が、高額紙幣を予め両替機などによって両替しておいたり、ゲームの途中で両替のために席を離れたりするといった煩わしさがない。【０００３】  特許文献１には、釣銭を払い出すことのできる遊技場システムが紹介されている。すなわち、特許文献１より転載した図６に示すように、この遊技場システムにおいて、遊技機１の遊技媒体を遊技者へ貸し出すための遊技媒体貸出機としての台間機２を各遊技機１に対応させるようにして、複数台の遊技機１と複数台の台間機２とを整列状態で配備して島が構成されている。各島には、各台間機２で受け付けられかつ送り出された貨幣を貨幣回収機構９０へ搬送するための貨幣搬送機構７０が設けられる。各台間機２は、釣り銭のための千円札を収納する釣り銭収納部４０を有し、釣り銭収納部４０の釣り銭が不足したとき、貨幣搬送機構７０より千円札を取り込んで釣り銭収納部４０に収納する。このような構成によって、薄型の台間機であっても、釣り銭を必要とする高額紙幣が使用できるようになり、しかも、釣り銭不足を頻繁に生じさせないようになる。【０００４】
【特許文献１】  特開２００１−５４６７５号公報
【発明の開示】
【発明が解決しようとする課題】
【０００５】  上記に引用した特許文献１によれば、貨幣搬送機構７０は、島の両端部に配置された駆動ローラ７２と従動ローラ７３との間に張設された駆動ベルト７４と、各台間機２の位置に対応させて配置された従動ローラ７５，７６間に張設された従動ベルト７７とによって構成されたものであり、前記駆動ベルト７４と各従動ベルト７７との間には、紙幣を挟持して島端の貨幣回収機構９０まで搬送する搬送路７１が一周形成されている。すなわち、貨幣回収機構９０と台間機２の関係において、最も遠いものはほぼ一周を要することとなり、非効率な貨幣の搬送形態となっている。【０００６】  そして、ここに使用されている各種のローラは水平に配置されて、水平回転するように形成されたものである。しかしながら、このように構成された貨幣搬送機構７０は、殊に駆動ローラ７２および従動ローラ７３の直径の大きさが貨幣搬送機構７０の幅に影響することとなり、もって島の厚さ（奥行き）が決定されることとなる。【０００７】  また、この貨幣搬送機構７０では、投入されて島端の貨幣回収機構９０まで搬送される高額紙幣と、貨幣回収機構９０より搬出されて台間機２に補充される釣銭用の紙幣とが、一本の駆動ベルト７４に混在した状態で搬送されるようになっている。そこで、搬送中の紙幣の通過を検出する通過センサ８１と、該センサを通過した紙幣が釣銭適合金種の紙幣であるかどうかを判別するための紙幣判別器８２とを、台間機２ごとに設置するようにして、通過する紙幣の金種をその都度チェックすることで解決している。このうち、通過センサ８１については、タッチセンサなどでもって簡単に装着することが可能なので特に問題とはならない。しかしながら、紙幣判別器８２については、たとえば赤外線透過センサと、受光した透過光をデータ分析して金種を判別する解析装置とが必要であり、製造の際のコストアップや手間がかかるなどといった点で問題が残る。【０００８】  このような状況にあって、本発明が目的とするところは、まず、釣銭の払い出しに対応することのできる遊技媒体貸出装置を提供することにある。しかも遊技機島の厚さを決定する遊技機ならびに遊技媒体貸出機の本体部分とは切り離した形で、その上部に設置することができるようにして、遊技機島の厚さに影響することのない遊技媒体貸出装置を提供することにある。そして、上記引例の如き頻繁に紙幣の金種を判別する必要のない遊技媒体貸出装置を提供することにある。
【課題を解決するための手段】
【０００９】  本発明の遊技媒体貸出装置は、以上のような課題に鑑みなされたもので、遊技客によって投入される紙幣を受け入れる紙幣識別装置と、前記紙幣識別装置より送出される紙幣を搬送する紙幣搬送装置と、前記紙幣搬送装置の一端に設けられて搬送された紙幣を保管する金庫とを備え、遊技媒体の貸し出し要求に応じて、遊技機とともに遊技機島を形成する遊技媒体貸出機を通じて遊技媒体の貸し出しが行われるように構成された遊技媒体貸出装置において、前記紙幣搬送装置の前記金庫の反対端には釣銭保管庫が付設され、釣銭として使用されない金種の紙幣については前記金庫に保管される一方、釣銭に適合する金種の紙幣については、前記金庫に留まることなく前記釣銭保管庫まで搬送されて収納されるように構成されていることを特徴とする。【００１０】  これは、紙幣搬送装置の一端に釣銭として使用されない金種の紙幣、一般には五千円札や一万円札などの高額紙幣を保管する金庫を設け、もう一端には、釣銭に適合する金種の紙幣、通常は千円札を収納する釣銭保管庫を設けたものである。遊技客によって投入される紙幣のうち、千円札については釣銭保管庫まで搬送して収納されるようにすることによって、釣銭保管庫における釣銭用紙幣の貯留枚数が不足することのないように補うものである。【００１１】  請求項２に記載の遊技媒体貸出装置は、前記紙幣識別装置には釣銭収納部が備えられて、釣銭の払い出しに応じることができるように構成されるとともに、前記釣銭収納部に収納されている釣銭用の紙幣の枚数が所定の枚数を下回ったときには、前記釣銭保管庫より釣銭用の紙幣が送出されて、前記紙幣搬送装置を介して前記釣銭収納部に補充されるように構成されていることを特徴とする。【００１２】  これは、釣銭支払いの必要が生じたときには、紙幣識別装置の一部として構成された釣銭収納部から直接払い出されるようにして、遊技客にできる限り待ち時間を与えないようにしたものである。そして、釣銭収納部に収納されている釣銭用の紙幣が足りなくなりそうになったときは、釣銭保管庫から補充できるようにしたものである。このとき、釣銭保管庫から送出される紙幣は、千円札に限られるので、改めて紙幣を識別することは行われない。【００１３】  請求項３に記載の遊技媒体貸出装置は、前記紙幣搬送装置には、前記遊技機島に沿って延伸しかつ垂直方向に周回する紙幣搬送ベルトが装備され、該紙幣搬送ベルトによって紙幣は水平姿勢で搬送されるとともに、前記金庫に搬送される紙幣および前記釣銭保管庫より送出される補充用の紙幣の搬送は、前記紙幣搬送ベルトの下位部分の移動によってなされ、前記金庫より前記紙幣収納庫への紙幣の搬送は、前記紙幣搬送ベルトの上位部分の移動によってなされるように構成されていることを特徴とする。【００１４】  これは、紙幣搬送装置の具体的な仕組みについて記載したものである。周回する一本の紙幣搬送ベルトにおける下位部分の移動および上位部分の移動を有効利用することによって、紙幣搬送装置における紙幣搬送が無駄なく実行されるようになっている。【００１５】  請求項４に記載の遊技媒体貸出装置は、前記釣銭保管庫から前記紙幣識別装置の前記釣銭収納部に向けて補充用の紙幣が搬送されると���には、補充の要求を発している前記紙幣識別装置に前記紙幣の搬送が終了するまでの間は、該紙幣識別装置よりも上流に配設された前記紙幣識別装置について、新たに投入された紙幣の前記紙幣搬送装置への送出を一時的に停止するように構成されていることを特徴とする。【００１６】  これは、釣銭用の紙幣と高額紙幣との紙幣搬送装置における混流を避けるようにしたものである。すなわち、新たに投入される紙幣の金種は釣銭適合金種とは限らないので、補充用の紙幣が搬送されている間は、補充を必要とする紙幣識別装置より紙幣搬送装置の上流にある紙幣識別装置からの受け入れを停止して、一時待機の状態とさせている。一方、補充を必要とする紙幣識別装置より下流にある紙幣識別装置については、釣銭用の紙幣と高額紙幣とが混在した状態にあっても、その選別は金庫で行われるので、前記のような停止措置はとられない。
【発明の効果】
【００１７】  本発明の遊技媒体貸出装置は、高額紙幣投入時の釣銭に対応することのできる装置として、遊技機島の上方に、その長手方向に沿って架け渡されて垂直に周回する一本の搬送ベルトの往路と復路の両方の動きを有効利用して完成させたものである。遊技機島の厚さに全く影響を及ぼさない装置として提供することができるようになるので、遊技店の遊技機島の設置スペースを気にする必要がない。【００１８】  遊技客によって投入された紙幣は、それが高額紙幣である場合には金庫に収納され、千円札である場合には釣銭保管庫にまとめて収納されるので、千円札を釣銭保管庫に人手に頼って補充するといった作業の回数が少なくて済むようになる。釣銭は、紙幣識別装置に備えられた釣銭収納部から直接支払われるので、遊技客から釣銭を要求された際に素早く応えることができる。そして、その釣銭収納部には、釣銭保管庫から釣銭用の紙幣が補充されるので、釣銭収納部が釣銭不足に陥る心配がない。釣銭保管庫から補充用の紙幣が搬送される時には、千円札以外の金種の紙幣は流れないようになっているので、その都度紙幣を識別する必要がない。【００１９】  なお、遊技店の営業日の開店前に、釣銭用の紙幣を釣銭保管庫に十分セットして本装置を稼動させれば、本遊技媒体貸出装置に装着された総ての釣銭収納部を釣銭用の紙幣で充足することができる。
【発明を実施するための最良の形態】
【００２０】  次に、本発明の一実施例について、図を参照しながら説明する。図１は、本発明の遊技媒体貸出装置が組み込まれてなる遊技機島の正面外観図、図２は、図１における紙幣識別装置の周辺部分の概要を示す拡大した正面図、図３は、図１における金庫の周辺部分の概要を示す拡大した正面図、図４は、図１における釣銭保管庫の周辺部分の概要を示す拡大した正面図、図５は、従来の遊技媒体貸出装置の一例を示す平面図である。なお、本発明に関わる図面に記載された符号と、引用文献１より転載した図面（図５）に記載された符号とは、同符号であったとしても、同一のものを表わすものではない。【００２１】  図１は、遊技機の一例としてのスロットマシン２０と、遊技媒体貸出機の一例としてのメダルサンド３０とを描いたものである。そして、このスロットマシン２０とメダルサンド３０とが交互に横並びに設置されることによって、遊技機島が形成されている。また、遊技機島の上方には、その長手方向に沿って紙幣搬送装置４０が架設されている。この紙幣搬送装置４０は、メダルサンド３０ごとに対応して配設された紙幣識別装置５０を備えている。また、紙幣搬送装置４０の一端部には金庫６０が配置され、その反対端には釣銭保管庫７０が配設されている。本発明の遊技媒体貸出装置１０は、以上のような紙幣搬送装置４０およびメダルサンド３０が持っている遊技媒体貸出機能ならびにこれらを制御する制御装置（図示せず）を包含するものである。遊技媒体とは、この実施例の場合、メダルである。【００２２】  メダルサンド３０の正面には、遊技客がゲームを終了して残額を釣銭として受け取るときに押下する精算ボタン３１と、紙幣を投入して遊技媒体としてのメダルの貸し出しを受けるときに押下する貸出ボタン３２とが取り付けられている。また、表示部３３が備えられ、種々のデータが表示されるようになっている。この表示部３３は、たとえば、メダルの貸出枚数や売上情報、異常表示などを適宜表示するためのデータ表示部３４と、遊技客が投入した紙幣の残額を表示して、ゲームを継続するときのための金額を留保するための残額表示部３５とによって構成されるものである。【００２３】  メダルサンド３０の下部には、貸出用のメダルを排出するノズルシュート３６が取り付けられている。遊技媒体貸出装置１０に投入された紙幣が真券であった場合にメダルの貸し出しが可能となり、貸出ボタン３２の押下によってメダルが払い出される。このとき、メダルは、ノズルシュート３６を通じてスロットマシン２０の下部に設けられた受皿２１に流下する。また、高額紙幣が投入されて残額が残っている場合にも、貸出ボタン３２の押下によりメダルが払い出され、残額表示部３５には減算処理された金額が表示される。このようにして払い出されたメダルをスロットマシン２０のメダル投入口２２に投入することによって、ゲームの開始が可能となる。【００２４】  紙幣搬送装置４０には、その両端部に離れて駆動プーリ４１と従動プーリ４２とが配設されている。これらのプーリ４１および４２は、水平な回転軸を有して、垂直回転するように形成されたものである。そして、駆動プーリ４１と従動プーリ４２との間には、平ベルトからなる無端の紙幣搬送ベルト��３が張架されている。紙幣搬送ベルト４３は、図示しない駆動モータの回転力によって駆動プーリ４１が回転することによって、従動プーリ４２との間で周回するようになっている。【００２５】  紙幣搬送ベルト４３には、その外周に沿って複数のガイドローラ４４が所定の間隔でもって列設されている。投入された紙幣は、水平姿勢の状態で、これらのガイドローラ４４と周回する紙幣搬送ベルト４３とに挟持されながら、順送りに搬送されるようになる。ただし、搬送中に紙幣の先端が垂れ下がったりして搬送不能となるなどの不具合が生じないように、少なくとも紙幣搬送ベルト４３の下位部分、および駆動プーリ４１と従動プーリ４２の周辺部分には、ガイドローラ４４間にガイドベルト４５を張架して、紙幣を正しく誘導するようにしている。【００２６】  ところで、図１に示す状態において、紙幣搬送ベルト４３が反時計回りに周回するものとすると、ベルトの下位部分は矢印Ａの如く移動する。そこで、金庫６０は、その移動先である右端に配設される。また、紙幣搬送ベルト４３のベルトの上位部分は矢印Ｂの如く移動するから、釣銭保管庫７０はその移動先である左端に配設される。そして、紙幣搬送ベルト４３の下位部分に臨んで、紙幣識別装置５０が付設されている。【００２７】  図２に示すように、本実施例において、紙幣識別装置５０の底面部には、紙幣挿入口５１ａおよび釣銭払出口５１ｂが開設されている。また、紙幣識別装置５０の上面部には、紙幣誘導路４６ａおよび４６ｂが付設されている。紙幣誘導路４６ａは、紙幣挿入口５１ａと連通して投入された紙幣Ｓを紙幣搬送ベルト４３に送り出すように形成されたものである。紙幣識別装置５０からみて、本図の右方向にほぼ直角に湾曲して方向を変え、その先端部で紙幣搬送ベルト４３に合流している。したがって、下方より紙幣挿入口５１ａに投入された紙幣Ｓは、自らの姿勢を水平姿勢に変えて搬送されることになる。【００２８】  また、紙幣誘導路４６ｂは、紙幣搬送ベルト４３によって搬送される釣銭用の紙幣Ｓを取り込むものであり、ほぼ直角に湾曲して、紙幣識別装置５０からみると本図の左方向に方向転換している如くみえる。そして、その先端部には、たとえばソレノイドによって揺動する切替手段４７が装着され、搬送中の紙幣Ｓを通過させるのか、紙幣誘導路４６ｂ内に取り込むのかについての切り替えが行えるように構成されている。【００２９】  紙幣識別装置５０の下から上方に向けて、紙幣挿入口５１ａより挿入された紙幣Ｓは、紙幣識別装置５０に内装されている紙幣搬送ベルト５２とガイドローラ５３とに挟持されながら奥の方へと引き込まれる。その搬送の途中で、図示しない各種のセンサ類によって紙幣Ｓの各種データが読み取られ、金種と真贋が判別される。そして、紙幣Ｓが、万一、不正な紙幣であった場合には受け入れが拒否され、紙幣搬送ベルト５２の逆転駆動によって、その紙幣は紙幣挿入口５１ａを通じて遊技客の手もと側に返却される。【００３０】  一方、真券であると識別された紙幣Ｓには、紙幣識別装置５０のさらに奥の方へと運ばれる。紙幣Ｓが通過したあとには、紙幣挿入口５１ａの近傍に付設させたシャッター手段５４が突出して搬送路を遮断するために、正当な紙幣��投入を装置に認識させた直後に紙幣Ｓを引き戻すという不正が防止される。そののち、メダルサンド３０の貸出ボタン３２の押下に伴って、メダルの払い出しが実行される。【００３１】  紙幣識別装置５０には、スタッカ機構５５が組み込まれている。スタッカ機構５５は、スプリング５５ａやパンタグラフ構造のリンク機構５５ｂ、ソレノイドなどによって伸縮自在に構成されたもので、自由端に備えた押圧板５６を図２の左右方向に平行移動させることができるようになっている。本図は、リンク機構５５ｂが作動して、押圧板５６が左の方に引き寄せられたときの状態を示すもので、この状態にあるときに、上方の紙幣誘導路４６ｂから千円札である紙幣Ｓが取り込まれる。そして、スプリング５５ａの伸長作用によって、押圧板５６は、紙幣Ｓを伴ったまま、棚板状に突設させた支持片５７を摺り抜け、右側の壁面に向かって付勢された状態で留まる。このようにして、釣銭用の紙幣Ｓが釣銭収納部５８に貯留されることとなる。【００３２】  メダルサンド３０に取り付けられている精算ボタン３１が押下され、釣銭の支払いを要求されたときは、釣銭収納部５８に収納されている紙幣Ｓの表面に当接するように配置された繰出ローラ５９を回転させることによって、千円札である紙幣Ｓが、釣銭払出口５１ｂより釣銭として一枚ずつ払い出される。そして、釣銭の払い出しによって、釣銭収納部５８に収納されている千円札の枚数が、所定の枚数（たとえば一万円札の投入に対して釣銭として応えることのできる最小限の枚数である９枚）を下回ったときには、前記のようなスタッカ機構５５が作動して、補充用の紙幣Ｓが、釣銭収納部５８に収容されるようになっている。【００３３】  紙幣誘導路４６ａより送り出される紙幣Ｓは、それが千円札であろうと、五千円札や一万円札などの高額紙幣であろうと、すべて金庫６０に搬送される。その際、図３に示すように、金庫６０の入口近傍に配設された識別センサ６１によって、改めて紙幣Ｓの金種が確認される。そして、その紙幣Ｓの搬送先には、たとえばソレノイドによって揺動する切替手段６２が装着されている。【００３４】  金庫６０に搬入された紙幣Ｓが高額紙幣である場合は、切替手段６２が紙幣の取り込み側に作動する。紙幣Ｓは、金庫６０内に取り込まれて保管される。一方、紙幣Ｓが千円札である場合には、切替手段６２は紙幣Ｓを通過させる側に切り替わる。紙幣Ｓは直進したのち、金庫６０内でＵターンするように方向を変える。そして、紙幣搬送ベルト４３の上位部分の移動によって、反対端に設置されている釣銭保管庫７０まで搬送され、補充用の釣銭用紙幣として収納される。【００３５】  図４には、釣銭保管庫７０が示されている。釣銭保管庫７０にも、スプリング７１ａやリンク機構７１ｂ、ソレノイドなどによって伸縮自在に構成されるスタッカ機構７１が組み込まれている。そして、本図のように、スタッカ機構７１が短縮してその自由端に備えた押圧板７２が低位の位置にあるときに、矢印Ｂのように搬送されてきた紙幣Ｓを受入れる。このとき、紙幣Ｓは、紙幣搬送ベルト４３の端部に近接して備えたガイド部材７３の上面部によって、内部に導かれるようになっている。【００３６】  スタッカ機構７１が伸長したと��には、スプリング７１ａによって、釣銭保管庫７０内に保管されている紙幣Ｓが、本図の上部の壁面に付勢された状態となる。その上部にはまた繰出ローラ７４が備えられて、付勢された紙幣Ｓの表面と当接するように形成されている。そして、釣銭用の紙幣の補充要求が出された場合に繰出ローラ７４が回転をして、紙幣Ｓを一枚ずつ送出する。このとき、送出される紙幣Ｓの先端が、ガイド部材７３の下面部に臨むように形成されているので、紙幣Ｓは、紙幣搬送ベルト４３の下位部分に向かったのち矢印Ａのように搬送されるようになる。【００３７】  いま仮に、図１において、Ｂ３と番号の付された紙幣識別装置５０に収納されている釣銭用の千円札の枚数が所定の枚数に達しない状態となったときは、制御装置は、釣銭保管庫７０に対してＢ３への補充指令を発する。これを受けて、補充用の千円札が釣銭保管庫７０から送出されて、Ｂ３内の紙幣収納部５８に収納されるようになる。このとき、Ｂ３よりも上流に設置されているＢ１とＢ２の紙幣識別装置５０では、当該装置に新たな紙幣が投入されたとしても、紙幣搬送ベルト４３に送出せずに一時待機する処置がとられる。Ｂ３への搬送途中にある補充用の紙幣と混ざらないようにして、何度も金種を識別することなく千円札だけが補充されるようにするためである。ただし、Ｂ１およびＢ２に投入された紙幣が真券であると判別された時点で、メダルの貸し出しは実行される。遊技客を待たせない配慮からである。【００３８】  また、Ｂ３の下流にあたるＢ４（図示せず）〜Ｂｎの紙幣識別装置５０については、新たな紙幣の投入に対して、上記のような一時待機処置はとられない。千円札と高額紙幣とが混在した状態で搬送が継続されたとしても、金庫６０にて仕分けされるからである。
【図面の簡単な説明】
【００３９】
【図１】  本発明の遊技媒体貸出装置が組み込まれた遊技機島の正面外観図である。
【図２】  図１における紙幣識別装置の周辺部分の概要を示す拡大した正面図である。
【図３】  図１における金庫の周辺部分の概要を示す拡大した正面図である。
【図４】  図１における釣銭保管庫の周辺部分の概要を示す拡大した正面図である。
【図５】  従来の遊技媒体貸出装置の一例を示す平面図である。
【符号の説明】
【００４０】  １０  遊技媒体貸出装置
２０  スロットマシン（遊技機）
３０  メダルサンド（遊技媒体貸出機）
４０  紙幣搬送装置
４３  紙幣搬送ベルト
４６ａ，４６ｂ  紙幣誘導路
４７  切替手段
５０  紙幣識別装置
５１ａ  紙幣挿入口
５１ｂ  釣銭払出口
５５  スタッカ機構
５８  釣銭収納部
５９  繰出ローラ
６０  金庫
６２  切替手段
７０  釣銭保管庫
７１  スタッカ機構
７４  繰出ローラ
Ｓ  紙幣
【図１】
0004690862.tif 000002
【図２】
0004690862.tif 000003
【図３】
0004690862.tif 000004
【図４】
0004690862.tif 000005
【図５】
0004690862.tif 000006